(57)【特許請求の範囲】
【請求項１】
ディスク状記録媒体に記録された、位相情報を有するクロックマークおよび記録データと位相同期した固定パターンを読み出して、記録データと位相同期したクロックを生成するためのクロック位相補正回路であって、
クロックマークの再生信号を用いて記録データに同期したチャネルクロックを生成するＰＬＬ手段と、
該チャネルクロックと固定パターンの再生信号との位相差を検出し、出力信号の折返し点が互いに相違する複数の位相差検出手段と、
各位相差検出手段の出力信号のうち、各折返し点から離れたものを選択する位相差選択手段と、
位相差選択手段が選択した出力信号を用いて、ＰＬＬ手段が生成したチャネルクロックの位相を制御する位相制御手段とを備えることを特徴とするクロック位相補正回路。
【請求項２】
出力信号の折返し点が１８０°相違する２つの位相差検出手段を備えることを特徴とする請求項１記載のクロック位相補正回路。
【請求項３】
前記位相差選択手段は、各位相差検出手段が出力する位相差のいずれかの絶対値を演算する位相差絶対値演算手段と、位相差絶対値演算手段の演算結果に応じて、各位相差検出手段が出力する位相差のいずれかを選択する選択手段とを含むことを特徴とする請求項１記載のクロック位相補正回路。
【請求項４】
前記位相制御手段は、前記位相差選択手段の選択結果に応じて、チャネルクロックを反転させて位相調整を行うことを特徴とする請求項１記載のクロック位相補正回路。
【発明の詳細な説明】
【０００１】
【発明の属する技術分野】
本発明は、ディスク状記録媒体に記録された各種信号を読み出して、記録データと位相同期したクロックを生成するためのクロック位相補正回路に関する。
【０００２】
【従来の技術】
近年、光磁気ディスク等のディスク状記録媒体に、位相情報を有するマーク（以後、クロックマークと称する）をプリフォーマットして、このクロックマークの再生信号を用いてビット単位のチャネルクロックをＰＬＬ(Phase Lock Loop) 回路によって生成し、このチャネルクロックを記録／再生に用いる方式、いわゆる外部クロック方式のディスク媒体やディスク記録再生装置が提案されている。
【０００３】
こうした外部クロック方式では、チャネルクロックを生成する信号経路と記録ビットを再生する信号経路とが異なるため、位相ずれが生ずる。
【０００４】
この対策として、特開平５−８１７８２号公報では、再生時に、チャネルクロックと記録ビットの再生データとの位相差に相当する遅延量だけ、チャネルクロックを遅延させるような位相補正が行われている。この遅延量の最適値は、記録を行った装置や周囲温度などによって変動する。そこで、ディスクの記録セクタに固定パターン領域を確保し、データ記録と同時に所定の固定パターンを記録して、この固定パターンの再生信号とチャネルクロックとの位相差を検出し、その位相差から遅延量の最適値を決定することができる。
【０００５】
図７は、従来のクロック位相補正回路の一例を示すブロック図である。光磁気ディスク１はモータ２によって回転し、ピックアップ３がデータの読み取りまたは書き込みを行う。光磁気ディスク１には、クロックマークがプリフォーマットされ、さらに上述の固定パターンが記録データとともに記録されている。ピックアップ３からの信号は信号処理回路４で処理される。
【０００６】
ピックアップ３がクロックマークを読み取ると、クロックマークの再生信号はＰＬＬ回路４に供給され、ＰＬＬ回路４は記録データに同期したチャネルクロック１５を生成し、位相制御回路１４へ出力する。
【０００７】
ピックアップ３が記録データを読み取ると、記録データの再生信号はＡＤ変換器（ＡＤＣ）８に供給され、ＡＤ変換器８は位相制御回路１４からのサンプリングクロック１６に基づいてサンプリングを行い、デジタルデータに変換する。位相差検出回路１０は、ＡＤ変換器８からのデータを用いて、サンプリングクロック１６と記録データの再生信号との位相差をビット毎に検出する。平均回路１３は、位相差検出回路１０が出力する位相差について移動平均を演算し、位相差データとして位相制御回路１４へ供給する。
【０００８】
タイミング生成部１２は固定パターン識別信号１７を位相制御回路１４へ出力する。位相制御回路１４は、この固定パターン識別信号１７を用いて記録データの中から固定パターン領域を判別し、固定パターン領域に対応した位相差データを保存するとともに、この位相差データに相当する遅延量を決定し、この遅延量に基づいてチャネルクロック１５を遅延することによって、サンプリングクロック１６の位相を補正し、実際の記録データと同期させる。
【０００９】
【発明が解決しようとする課題】
図７に示す位相差検出回路１０は、サンプリングクロック１６と記録データの再生信号との位相差を、たとえば−１８０°から＋１８０°の範囲で出力する。そのため、両者の位相差が１８０°近傍にある場合、たとえば＋１７９°、＋１８０°と増加し、次に＋１８０°を超えて＋１８１°になると、位相差検出回路１０は−１７９°を出力するため、出力がステップ的に減少することになる。逆に、両者の位相差が−１７９°、−１８０°と減少し、次に−１８０°を超えて−１８１°になると、位相差検出回路１０は＋１７９°を出力するため、出力がステップ的に増加することになる。
【００１０】
こうした出力範囲の境界を折返し点と称し、折返し点付近では、ノイズ等の影響によって出力信号がビット毎に大きく変動して、位相差検出の連続性が失われるため、後段の位相制御回路１４の動作が極めて不安定になる。また、平均回路１３がビット毎の位相差を移動平均しているため、位相差の符合がビット毎に異なると、平均演算の意義が損なわれてしまう。
【００１１】
本発明の目的は、クロック位相差が折返し点付近にあっても、安定した動作を確保できるクロック位相補正回路を提供することである。
【００１２】
【課題を解決するための手段】
本発明は、ディスク状記録媒体に記録された、位相情報を有するクロックマークおよび記録データと位相同期した固定パターンを読み出して、記録データと位相同期したクロックを生成するためのクロック位相補正回路であって、
クロックマークの再生信号を用いて記録データに同期したチャネルクロックを生成するＰＬＬ手段と、
該チャネルクロックと固定パターンの再生信号との位相差を検出し、出力信号の折返し点が互いに相違する複数の位相差検出手段と、
各位相差検出手段の出力信号のうち、各折返し点から離れたものを選択する位相差選択手段と、
位相差選択手段が選択した出力信号を用いて、ＰＬＬ手段が生成したチャネルクロックの位相を制御する位相制御手段とを備えることを特徴とするクロック位相補正回路である。
【００１３】
本発明に従えば、出力信号の折返し点が互いに相違する複数の位相差検出手段を設けて、各位相差検出手段の出力信号のうち各折返し点から離れたものを選択することによって、折返し点付近での出力変動を排除できるため、位相差検出の連続性を確保できる。その結果、後段の位相制御回路の動作が安定になり、高精度のクロックを生成できる。
【００１４】
また本発明は、出力信号の折返し点が１８０°相違する２つの位相差検出手段を備えることを特徴とする。
【００１５】
本発明に従えば、折返し点が１８０°相違する２つの位相差検出手段を設けることによって、回路規模をあまり増加させることなく、安定した位相差検出が可能になる。
【００１６】
また本発明は、前記位相差選択手段は、各位相差検出手段が出力する位相差のいずれかの絶対値を演算する位相差絶対値演算手段と、
位相差絶対値演算手段の演算結果に応じて、各位相差検出手段が出力する位相差のいずれかを選択する選択手段とを含むことを特徴とする。
【００１７】
本発明に従えば、各位相差検出手段の出力信号のうち、いずれかの絶対値を演算することによって、各出力信号が折返し点からどれぐらい離れているかを判定でき、その判定結果に応じて折返し点から最も離れた出力信号を選択することができる。そのため、簡単な回路構成で安定した位相差検出が可能になる。
【００１８】
また本発明は、前記位相制御手段は、前記位相差選択手段の選択結果に応じて、チャネルクロックを反転させて位相調整を行うことを特徴とする。
【００１９】
本発明に従えば、チャネルクロックを反転させることで、１８０°位相遅延と同じ効果が得られるため、たとえばディレイ素子を用いて位相調整を行う場合、最大３６０°遅延から最大１８０°遅延だけで対処可能になり、ディレイ素子の回路規模を低減できる。
【００２０】
【発明の実施の形態】
図１は、本発明の実施の一形態を示すブロック図である。光磁気ディスク２１はモータ２２によって回転し、ピックアップ２３がデータの読み取りまたは書き込みを行う。光磁気ディスク２１には、クロックマークがプリフォーマットされ、さらにデータ記録と同時に記録された固定パターンが記録データとともに記録されている。ピックアップ２３からの信号は信号処理回路２４で処理される。
【００２１】
図６は、光磁気ディスクのフォーマットの一例を示す説明図である。光磁気ディスクの記録領域は、図６（Ａ）に示すように、セクタ単位で区分されており、各セクタの先頭部分にはセクタのアドレス情報が記録される。図６（Ｂ）はセクタの先頭部分を拡大したもので、セクタ先頭から一定間隔でクロックマークＣＭがプリフォーマットされ、各クロックマークＣＭの間に記録領域が確保され、セクタ先頭から順にアドレス領域、固定パターン領域、データ領域、データ領域、…、に割り当てられる。
【００２２】
データを記録する場合、セクタ単位で記録するため、固定パターンのビット位相とデータ領域のビット位相とは一致することになる。
【００２３】
クロックマークＣＭは、たとえばトラッキングサーボ用の案内溝をランド側に一部蛇行させることにより記録される。そこで、ピックアップ２３が出力するタンジェンシャル方向（光スポットの進行方向）のプッシュプル信号を検出すると、図６（Ｃ）に示すクロックマーク検出信号が得られ、これを２値化すると、図６（Ｄ）に示すクロックマーク再生信号が得られる。
【００２４】
固定パターンは、記録データと同様に光磁気記録されるため、ピックアップ２３の光磁気検出系によって再生され、図６（Ｅ）に示すような固定パターン再生信号が得られる。また、固定パターン再生信号の先頭および後端を検出することで、図６（Ｆ）に示す固定パターン領域識別信号が得られる。
【００２５】
図１に戻って、ピックアップ２３がクロックマークを読み取ると、信号処理回路２４は増幅、フィルタリング、２値化等の処理を施してクロックマーク再生信号２５を生成し、ＰＬＬ回路２７に供給する。ＰＬＬ回路２７は、クロックマーク再生信号２５とＶＣＯ（電圧制御発振器）が発振するクロックを分周した信号との位相差を検出し、その位相差をループフィルタで平滑化して、ＶＣＯの入力にフィードバックすることにより、クロックマーク再生信号２５に同期したクロックを生成するものであり、この分周比を適切に選ぶことで、ＶＣＯが出力するクロックが記録データのビット周期と一致した周波数を持つチャネルクロック３５を生成し、位相制御回路３４へ出力する。
【００２６】
ピックアップ２３が記録データを読み取ると、信号処理回路２４は増幅、フィルタリング等の処理を施して記録データ再生信号２６を生成し、ＡＤ変換器（ＡＤＣ）２８に供給する。なお、図６（Ｂ）に示したアドレス情報、固定パターンも記録データと同様に再生される。ＡＤ変換器２８は位相制御回路３４からのサンプリングクロック３６に基づいてサンプリングを行い、デジタルデータに変換し、位相差検出系２９に供給する。
【００２７】
位相差検出系２９は複数（ここでは２つ）の位相差検出回路３０，３１で構成される。位相差検出回路３０，３１は、ＡＤ変換器２８からのデータを用いて、サンプリングクロック３６と記録データの再生信号との位相差をビット毎に検出する。
【００２８】
位相差検出回路３０，３１は、出力信号の折返し点が互いに相違しており、たとえば位相差検出回路３０が−１８０°〜０°〜＋１８０°の範囲で出力すると、位相差検出回路３１は１８０°だけ折返し点がずれて、０°〜＋１８０°（＝−１８０°）〜０°の範囲で出力する。この関係を次の（表１）に示す。ここで、サンプリングクロック３６と記録データの再生信号との位相差をＰ、位相差検出回路３０の出力をＰ１、位相差検出回路３１の出力をＰ２とする。
【００２９】
【表１】
0003949875.tif 000002
【００３０】
タイミング生成部３２は、上位装置（不図示）から与えられる位置情報等に基づいて、固定パターン領域を判別し、図６（Ｆ）に示す固定パターン領域識別信号３７を位相制御回路３４へ出力する。
【００３１】
位相差選択回路３３は、固定パターン領域に関して位相差検出回路３０，３１が出力する位相差Ｐ１，Ｐ２のうち、各折返し点から離れたものを選択する。たとえばＰ＝−２０°のとき、Ｐ２よりＰ１の方が折返し点から離れているため、Ｐ１を選択する。また、Ｐ＝−１６０°のとき、Ｐ１よりＰ２の方が折返し点から離れているため、Ｐ２を選択する。なお、Ｐ＝−９０°のときは、Ｐ１，Ｐ２ともに折返し点からの距離が等しいため、いずれか一方を選択する。
【００３２】
位相差選択回路３３によって選択された位相差は選択後位相差データ３８として位相制御回路３４へ供給され、位相差Ｐ１，Ｐ２のうちいずれを選択したかを示す位相差判定信号３９も供給される。
【００３３】
位相制御回路３４は、選択後位相差データ３８および位相差判定信号３９を用いて実際の遅延量を決定し、この遅延量に基づいてチャネルクロック３５を遅延することによって、サンプリングクロック３６の位相を補正し、実際の記録データと同期させる。
【００３４】
図２は、位相差検出回路３０，３１の構成例を示すブロック図である。ＡＤ変換器２８からのデータは、サンプリングクロック３６によってレジスタ４１，４２に順次格納される。レジスタ４１，４２の出力はゼロクロス検出器４３に入力され、両者の符合が違うときゼロクロス有りと判定して、判定信号４３ａをハイレベルにし、レジスタ４５の入力ＥＮへ供給する。
【００３５】
ＲＯＭ４４は、記録データの再生信号とサンプリングクロック３６との位相差との関係を数値化したテーブルを格納しており、１クロック分の信号変化に対応した位相差を出力する。レジスタ４５は入力ＥＮがハイレベルになると、ＲＯＭ４４の出力を保持する。
【００３６】
図５は、図２の回路動作を示す説明図である。記録データの再生信号は、サンプリングクロック３６に同期した離散値である。特にゼロクロス付近に着目すると、時刻ｔ２における再生信号値αおよび時刻ｔ３における再生信号値βを通過する直線で補間すると、直線のゼロクロス点が再生信号のゼロクロス点とほぼ一致する。このゼロクロス点と時刻ｔ２，ｔ３との間の間隔Ｔα，Ｔβを用いて、｜α｜：｜β｜＝｜Ｔα｜：｜Ｔβ｜という関係が成立する。
【００３７】
そこで、位相差検出回路３０が出力する位相差Ｐ１は、次式で演算できる。
Ｐ１ ＝ 360 ×｜α｜／（｜α｜＋｜β｜）−180           …（１）
【００３８】
この場合、位相差Ｐ１が±１８０°を超えると、ゼロクロス点が１クロック分ずれるため、位相差Ｐ１は±１８０°で折り返すことになる。
【００３９】
次に位相差検出回路３１が出力する位相差Ｐ２は、位相差Ｐ１と比べて折返し点を１８０°ずらす必要があるため、次のような演算を行う。
Ｐtmp ＝ 360 ×｜α｜／（｜α｜＋｜β｜）               …（２）
Ｐtmp ＜１８０°のとき、Ｐ２＝Ｐtmp                     …（３）
Ｐtmp ≧１８０°のとき、Ｐ２＝Ｐtmp−360                …（４）
【００４０】
こうして位相差Ｐ１に対して折返し点が１８０°異なる位相差Ｐ２を得ることができる。
【００４１】
位相差検出回路３０では、ＲＯＭ４４に式（１）の関係を予め演算した結果が格納され、レジスタ４１，４２から再生信号値α，βが入力されると、位相差Ｐ１を出力する。位相差検出回路３１では、ＲＯＭ４４に式（２）〜（４）の関係を予め演算した結果が格納され、レジスタ４１，４２から再生信号値α，βが入力されると、位相差Ｐ２を出力する。
【００４２】
図３は、位相差選択回路３３の構成例を示すブロック図である。位相差検出回路３０，３１からの位相差Ｐ１，Ｐ２は、平滑化回路５１，５２にそれぞれ入力され、移動平均を演算する。位相差Ｐ１は絶対値演算回路５３にも供給され、次の平滑化回路５４は絶対値｜Ｐ１｜の移動平均Ｐ１avを演算する。
【００４３】
比較器５５は、移動平均Ｐ１avが９０°より大きいか否かを判定し、Ｐ１av＞９０°のときハイレベル、Ｐ１av≦９０°のときローレベルとなる位相差判定信号３９を出力する。したがって、位相差判定信号３９がハイレベルのとき、位相差Ｐ１は位相差Ｐ２より折返し点に近いことを意味する。
【００４４】
選択回路５６は、位相差判定信号３９がローレベルのとき、位相差Ｐ１の移動平均を選択し、位相差判定信号３９がハイレベルのとき、位相差Ｐ２の移動平均を選択し、選択後位相差データ３８として出力する。
【００４５】
図４は、位相制御回路３４の構成例を示すブロック図である。クロック選択信号生成器６１は、固定パターン領域識別信号３７が供給されるＣ入力の立下りエッジでＤ入力をラッチするフリップフロップ６９と、フリップフロップ６９のＱ出力からのクロック選択信号ＳＣと位相差判定信号３９との排他的論理和を演算してフリップフロップ６９のＤ入力へ出力するイクスクルーシブオア６８とで構成される。固定パターン領域識別信号３７の終了時点で、位相差判定信号３９がハイレベルのとき、クロック選択信号ＳＣが反転する。
【００４６】
選択器６４のＡ入力にはチャネルクロック３５が供給され、Ｂ入力にはインバータ６３によるチャネルクロック３５の反転クロックが供給され、クロック選択信号ＳＣがハイレベルのときチャネルクロック３５を選択し、クロック選択信号ＳＣがローレベルのときチャネルクロック３５の反転クロックを選択し、ディレイ素子６５へ供給する。
【００４７】
したがって、サンプリングクロック３６の位相が大きくずれている場合、すなわち固定パターン領域識別信号３７の終了時点で、位相の絶対値の移動平均が９０°以上ずれている場合、位相差判定信号３９がハイレベルになるため、クロック選択信号ＳＣが反転して、ディレイ素子６５の駆動クロックが反転するため、サンプリングクロック３６の位相を１８０°シフトしたことと等価になる。その結果、ディレイ素子６５は最大１８０°遅延だけ対応すれば済むため、回路規模を低減できる。
【００４８】
位相差保持回路６２は、フリップフロップで構成され、固定パターン領域識別信号３７の立上りタイミングで選択後位相差データ３８を保持する。そのため、固定パターン領域で計測された位相差は、次の固定パターン領域が来るまで保持される。
【００４９】
遅延量変換器６７は、位相差保持回路６２で保持された選択後位相差データ３８を遅延データに変換し、さらにディレイ素子６５の各出力タップを選択するためのデータに変換して、ディレイクロック選択器６６に供給する。
【００５０】
ディレイ素子６５は、所定の遅延量を持つ遅延線を直接に接続したもので、選択器６４からの駆動クロックを遅延線の通過数だけ遅延させて、各出力タップからディレイクロック選択器６６に供給する。ディレイクロック選択器６６は、遅延量変換器６７からの出力に応じて、各出力タップのいずれかを選択し、所望の遅延量だけ遅延したサンプリングクロック３６を出力する。
【００５１】
遅延量変換器６７は、固定パターン領域識別信号３７がハイレベルのとき所定の値を出力し、ローレベルのとき、入力された選択後位相差データ３８の換算を行う。たとえば、チャネルクロック３５の周期を１８×Ｄとした場合、固定パターン領域識別信号３７がハイレベルのとき、遅延量変換器６７が出力する所定値は４×Ｄとなる。固定パターン領域識別信号３７がローレベルのとき、入力された選択後位相差データ３８に応じて、次の（表２）に示すような遅延量に変換する。
【００５２】
【表２】
0003949875.tif 000003
【００５３】
こうした関係は、遅延量変換テーブルとしてＲＯＭなどに格納できる。
以上の説明では、位相差検出系２９として、出力信号の折返し点が互いに１８０°相違した２つの位相差検出回路３０，３１を用いた例を示したが、折返し点が互いに１２０°相違した３つの位相差検出回路や、折返し点が互いに９０°相違した４つの位相差検出回路などで構成することも可能である。
【００５４】
【発明の効果】
以上詳説したように本発明によれば、出力信号の折返し点が互いに相違する複数の位相差検出手段を設けて、各位相差検出手段の出力信号のうち各折返し点から離れたものを選択することによって、折返し点付近での出力変動を排除できるため、位相差検出の連続性を確保できる。その結果、後段の位相制御回路の動作が安定になり、高精度のクロックを生成できる。
【００５５】
また、折返し点が１８０°相違する２つの位相差検出手段を設けることによって、回路規模をあまり増加させることなく、安定した位相差検出が可能になる。
【００５６】
また、各位相差検出手段の出力信号のうち、いずれかの絶対値を演算することによって、各出力信号が折返し点からどれぐらい離れているかを判定でき、その判定結果に応じて折返し点から最も離れた出力信号を選択することができる。そのため、簡単な回路構成で安定した位相差検出が可能になる。
【００５７】
また本発明によれば、チャネルクロックを反転させることで、１８０°位相遅延と同じ効果が得られるため、たとえばディレイ素子を用いて位相調整を行う場合、最大３６０°遅延から最大１８０°遅延だけで対処可能になり、ディレイ素子の回路規模を低減できる。
【図面の簡単な説明】
【図１】本発明の実施の一形態を示すブロック図である。
【図２】位相差検出回路３０，３１の構成例を示すブロック図である。
【図３】位相差選択回路３３の構成例を示すブロック図である。
【図４】位相制御回路３４の構成例を示すブロック図である。
【図５】図２の回路動作を示す説明図である。
【図６】光磁気ディスクのフォーマットの一例を示す説明図である。
【図７】従来のクロック位相補正回路の一例を示すブロック図である。
【符号の説明】
２１  光磁気ディスク
２２  モータ
２３  ピックアップ
２４  信号処理回路
２５  クロックマーク再生信号
２７  ＰＬＬ回路
２８  ＡＤ変換器
２９  位相差検出系
３０，３１  位相差検出回路
３２  タイミング生成部
３３  位相差選択回路
３４  位相制御回路
３５  チャネルクロック
３６  サンプリングクロック
３７  固定パターン領域識別信号
３８  選択後位相差データ
３９  位相差判定信号
【図１】
0003949875.tif 000004
【図２】
0003949875.tif 000005
【図３】
0003949875.tif 000006
【図４】
0003949875.tif 000007
【図５】
0003949875.tif 000008
【図６】
0003949875.tif 000009
【図７】
0003949875.tif 000010